(57)【要約】      （修正有）【課題】シリンダ本体およびピストンをそれぞれ一体構成として、再使用を不能とする機能を損なわず構成の簡素化を図ることができる使い捨て注射器を提供する。【解決手段】使い捨て注射器１は、円筒状のシリンダ本体２と、ピストン３とを有する。シリンダ本体２には円周方向に略１８０°離間した部位に一対の係止歯４，４を有する。ピストン３には一対の係止歯４，４に対応した部位に一対の係止爪５，５を有する。シリンダ本体２とピストン３とを相対的に回転させることにより一対の係止歯４，４および一対の係止爪５，５が係止されて、シリンダ本体２に対してピストン３が前後方向に移動可能な位置からピストン３が前方向のみ移動可能とする。【選択図】図１
2009106687.tif 000002
【特許請求の範囲】
【請求項１】
円筒状のシリンダ本体と、ピストンとを有する注射器であって、
シリンダ本体には円周方向に略１８０°離間した部位に一対の係止歯を有するとともに、
ピストンには前記係止歯に対応した部位に一対の係止爪を有し、
シリンダ本体とピストンとを相対的に回転させることにより係止歯および係止爪が係止されて、シリンダ本体に対してピストンが前後方向に移動可能な位置からピストンが前方向のみに移動可能な位置にすることができる
ことを特徴とする使い捨て注射器。
【請求項２】
前記シリンダ本体は注出口の他端に位置する開口部の外縁にフランジ部を有し、
前記ピストンの末端には前記フランジ部と略同一形状の押子を有し、
前記フランジ部および前記押子が非円形形状である
ことを特徴とする請求項１記載の使い捨て注射器。
【請求項３】
前記押子は前記一対の係止爪と同一方向または略垂直方向に長い略長方形（楕円形）である
ことを特徴とする請求項２記載の使い捨て注射器。
【請求項４】
前記フランジ部は前記一対の係止歯と同一方向または略垂直方向に長い略長方形（楕円形）である
ことを特徴とする請求項２または３記載の使い捨て注射器。
【発明の詳細な説明】
【技術分野】
【０００１】
本発明は、円筒状のシリンダ本体と、ピストンとを有する注射器であって、一度注射をした後の再使用を不能にする使い捨て注射器に関するものである。
【背景技術】
【０００２】
この種の使い捨て注射器として、特開平２−８００５７号公報に掲載されているものは、注射器本体とピストンからなり、ピストンには、そのピストンロッドの周りに互いに半径方向に伸びる軸線方向のリブを有し、前記リブに設けた鋸歯状切り込みと、注射器本体の内面に設けたストッパとで、ピストンを一方向にのみ動かしうるようにして、再使用することができない構造となっている。なお、再使用を不能にする使い捨て注射器としては、特表２００６−５００１７２公報においても紹介されている。
【特許文献１】特開平２−８００５７号公報
【特許文献２】特表２００６−５００１７２公報
【発明の開示】
【発明が解決しようとする課題】
【０００３】
前掲の特許文献１に記載されている使い捨て注射器にあっては、ピストンを一方向にのみ動かしうるようにするための鋸歯状切り込みをピストンロットに形成し、ストッパを円筒状の注射器本体内面に形成しているものであるから、注射器本体はその全体を一体に成形することができず、特許文献１に例示するものにおいては、注射器の基部となる部分（注射針を装着する部分）と、内面にストッパを設けた筒体とを別体に構成し、注射器の基部となる部分に対して前記筒体を後工程で結合固定する複雑な構成となっている。
【０００４】
そこで本発明は、シリンダ本体に一対の係止歯を設けるとともに、ピストンに前記係止歯に対応する一対の係止爪を設ける構成とすることにより、シリンダ本体およびピストンをそれぞれ一体構成として、再使用を不能とする機能を損なわず構成の簡素化を図ることができる使い捨て注射器を提供するものである。
【課題を解決するための手段】
【０００５】
上記目的を達成するため、本発明は請求項１ないし４に記載する使い捨て注射器を提供する。ここに請求項１に係る使い捨て注射器は、円筒状のシリンダ本体と、ピストンとを有する注射器であって、シリンダ本体には円周方向に略１８０°離間した部位に一対の係止歯を有するとともに、ピストンには前記係止歯に対応した部位に一対の係止爪を有し、シリンダ本体とピストンとを相対的に回転させることにより係止歯および係止爪が係止されて、シリンダ本体に対してピストンが前後方向に移動可能な位置からピストンが前方向のみに移動可能な位置にすることができることを特徴とするものである。。
【０００６】
また、請求項２に係る使い捨て注射器は、請求項１の構成において、前記シリンダ本体は注出口の他端に位置する開口部の外縁にフランジ部を有し、前記ピストンの末端には前記フランジ部と略同一形状の押子を有し、前記フランジ部および前記押子が非円形形状であることを特徴とするものである。
【０００７】
請求項３に係る使い捨て注射器は、請求項２の構成において、前記押子は前記一対の係止爪と同一方向または略垂直方向に長い略長方形（楕円形）であることを特徴とするものである。
【０００８】
請求項４に係る使い捨て注射器は、請求項２または３の構成において、前記フランジ部は前記一対の係止歯と同一方向または略垂直方向に長い略長方形（楕円形）であることを特徴とするものである。
【発明の効果】
【０００９】
本発明に係る使い捨て注射器によれば、シリンダ本体に一対の係止歯を設けるとともに、ピストンに前記係止歯に対応する一対の係止爪を設ける構成とすることにより、シリンダ本体およびピストンをそれぞれ一体構成として、再使用を不能とする機能を損なわず構成の簡素化を図ることができる効果が得られるものである。
【発明を実施するための最良の形態】
【００１０】
図面は本発明の一実施の形態を示し、図１は使い捨て注射器を一部破断した斜視図、図２は同上全体斜視図、図３は同上内部構造を示す斜視図、図４は図１の一部詳細斜視図、図５は注射液を吸入する態様の一部破断斜視図、図６は図５の態様からピストンを９０°回転してシリンダ本体の一対の係止歯にピストンの一対の係止爪を係止させた態様の一部破断斜視図、図７は図６の一部詳細斜視図、図８はシリンダ本体の一対の係止歯とピストンの一対の係止爪との係止状態を示す詳細部分図、図９は図６の態様から注射を終えた態様の一部破断斜視図である。
【００１１】
本発明に係る使い捨て注射器１は、円筒状のシリンダ本体２と、ピストン３とで成り、シリンダ本体３には円周方向に略１８０°離間した部位に一対の係止歯４，４を有するとともに、ピストン３には係止歯４，４に対応した部位に一対の係止爪５，５を有していて、シリンダ本体２を持ってピストン３を回すなど、シリンダ本体２とピストン３とを相対的に回転させることにより係止歯４，４および係止爪５，５が係止されて、シリンダ本体２に対してピストン３が前後方向に移動可能な位置からピストン３が前方向のみに移動可能な位置にすることができるように成っている。
【００１２】
前記シリンダ本体２は、注出口の他端に位置する開口部の外縁にフランジ部６を有し、ピストン３の末端には前記フランジ部６と略同一形状の押子７を有しており、フランジ部６および押子７は非円形形状である。図示の形態ではフランジ部６および押子７が略長方形（楕円形）と成っており、フランジ部６は一対の係止歯４，４と直交する方向に長い略長方形（楕円形）、押子７は前記一対の係止爪５，５と直交する方向に長い略長方形（楕円形）としてあるが、フランジ部６を一対の係止歯４，４と、押子７を一対の係止爪５，５とそれぞれ同一方向に長い略長方形（楕円形）としてもよい。
【００１３】
本発明に係る使い捨て注射器１は、ピストン３の一対の係止爪５，５がシリンダ本体２の一対の係止歯４，４に係止しない位置でかつピストン３がシリンダ本体２に最も前方に押し込まれた状態で製品化されている（図１参照）。そして、この状態ではシリンダ本体２のフランジ部６とピストン３の押子７とが同方向で重なっている。
【００１４】
シリンダ本体２には、ピストン３の押し引き移動のための案内溝部８が外周方向に膨出状に形成されており、ピストン３には、一対の係止爪５，５がシリンダ本体２の一対の係止歯４，４に係止しない位置で上記案内溝部８に係合する案内翼部９と、一対の係止爪５，５がシリンダ本体２の一対の係止歯４，４する位置で前記案内溝８に係合する案内翼部１０が互いに９０°の角度で形成されている。１１は注射液注出口である。
【００１５】
注射液を吸入するには、図１の状態でピストン３を後方に適当な分だけ引けば、シリンダ本体２の前方部分に注射液が吸入される（図２参照）。所要量の注射液を吸入したならば、ピストン３を最も引き抜いた位置まで移動させたうえ略９０°回転させると、ピストン３の一対の係止爪５，５がシリンダ本体２の一対の係止歯４，４の前方部分に係止するので、ピストン３は前方へ押し込む操作のみが可能となる。そして、一対の係止爪５，５が一対の係止歯４，４に係合している状態では、それ以降シリンダ３は係止歯４，４と係止爪５，５の係止によりシリンダ３を後方へ引く方向の操作ができなくなり、ピストン３は前方へ押し込む操作のみが可能となるので、注射のためのピストン３の押し込み操作はできるが、一度注射をした後は注射液を再度吸入することが不能となって、注射器の再使用が確実に阻止される。なお、再使用ができない状態はフランジ部６に対して押子７が重なる態様となるので（図４参照）、外部から容易に確認することができる。
【００１６】
本発明に係る使い捨て注射器１は、シリンダ本体２に一対の係止歯４，４を設けるとともに、ピストン３に前記係止歯に対応する一対の係止爪５，５を設ける構成であるから、シリンダ本体２およびピストン３をそれぞれ一体構成として、構成の簡素化を図ることができるものである。
【図面の簡単な説明】
【００１７】
【図１】本発明の一実施の形態に係る使い捨て注射器を一部破断した斜視図である。
【図２】同上全体斜視図である。
【図３】同上内部構造を示す斜視図である。
【図４】図１の一部詳細斜視図である。
【図５】注射液を吸入する態様の一部破断斜視図である。
【図６】図５の態様からピストンを９０°回転してシリンダ本体の一対の係止歯にピストンの一対の係止爪を係止させた態様の一部破断斜視図である。
【図７】図６の一部詳細斜視図である。
【図８】シリンダ本体の一対の係止歯とピストンの一対の係止爪との係止状態を示す詳細部分図である。
【図９】図６の態様から注射を終えた態様の一部破断斜視図である。
【符号の説明】
【００１８】
１  使い捨て注射器
２  シリンダ本体
３  ピストン
４，４  一対の係止歯
５，５  一対の係止爪
６  フランジ部
７  押子
８  案内溝部
９  案内翼部
１０  案内翼部
１１  注射液注出口
【図１】
2009106687.tif 000003
【図２】
2009106687.tif 000004
【図３】
2009106687.tif 000005
【図４】
2009106687.tif 000006
【図５】
2009106687.tif 000007
【図６】
2009106687.tif 000008
【図７】
2009106687.tif 000009
【図８】
2009106687.tif 000010
【図９】
2009106687.tif 000011